(57)【特許請求の範囲】
【請求項１】
室内障子の縦框に固定される取付けベースと、この取付けベースに対してクレセント軸を介して回動自在に取り付けられたクレセントと、前記クレセント軸に一体的に固設された操作レバーと、前記取付けベース内において前記クレセント軸に一体的に固設され、周囲に衝合凸部を備えたサブロック用回転子と、前記取付けベースの側壁に上下方向にスライド可能に設けられ、施錠状態において、一端側にスライドさせることにより前記操作レバーが解錠操作されても前記サブロック用回転子の衝合凸部が衝合することにより解錠を阻止するサブロック用ストッパー片とを備えたサブロック機構付クレセント錠において、
前記サブロック用ストッパー片は、前記取付けベースの外側に位置し、直接的に手動操作される操作部と、前記取付けベースの内側に位置し、前記サブロック用回転子が衝合する衝合部とから構成され、前記衝合部に対して段状の引っ掛け部が形成され、前記取付けベースには、前記サブロック用ストッパー片が取り付けられる側壁の内側に、段状の受け部が形成され、
前記段状の引っ掛け部は略逆レ字状を成すように鋭角的に形成され、前記段状の受け部は前記段状の引っ掛け部に整合する略レ字状を成すように鋭角的に形成され、サブロック施錠時に、前記サブロック用ストッパー片に形成した段状の引っ掛け部と前記取付けベースに形成した段状の受け部とが鋭角的に噛み合うように掛止し、サブロック施錠状態から無理に解錠しようとした際、前記サブロック用回転子の衝合凸部がサブロック用ストッパー片に衝突し、サブロック用回転子がサブロック用ストッパー片を押し下げると同時に、外方に押し出すように力を作用させたとしても前記サブロック用ストッパー片の移動を阻止するようにしたことを特徴とするサブロック機構付クレセント錠。
【発明の詳細な説明】
【技術分野】
【０００１】
本発明は、防犯機能の向上のためにサブロック機構を備えたクレセント錠に関する。
【背景技術】
【０００２】
従来より、引き違い窓等のサッシ用施錠装置としてクレセント錠が知られている。このクレセント錠は、図８に示されるように、室内障子の縦框（召合せ框）に取り付けられる取付けベース５０と、この取付けベース５０に対してクレセント軸５１を介して回動自在に取り付けられたクレセント５２とからなるもので、このクレセント５２に一体的に連結された操作レバー５３を掴み、ほぼ１８０°の範囲で回動させることにより、クレセント５２を室外側障子に取り付けられた係止金具（図示せず）に対して係脱させるようにした引き違い障子等のための施錠装置である。
【０００３】
近年、この種のクレセント錠においても、同図及び下記特許文献１、２に示されるように、防犯等の配慮から施錠状態において、更にクレセント５２の回動を阻止するために上下方向にスライド操作されるサブロック用ストッパー片５４を設けた、いわゆるサブロック機構が採用されるようになってきた。
【０００４】
上記クレセントにおけるサブロック機構は、クレセントが衝合するストッパー片をスライド可能に取付けベースに対して設けるものであるが、サブロック機構の中には、例えば図９に示されるように、取付けベース６０内においてクレセント軸６１に対して一体的に回動可能なように、衝合凸部６２ａを備えた金属製の回転子６２を設け、この回転子６２をサブロック用ストッパー片６３に衝合させることにより補助施錠を成すようにしたクレセント錠が存在する。
【先行技術文献】
【特許文献】
【０００５】
【特許文献１】特開２００２−３５７０３６号公報
【特許文献２】特開２００３−１７２０５８号公報
【特許文献３】特開２００７−１４６６５０号公報
【発明の概要】
【発明が解決しようとする課題】
【０００６】
しかしながら、図９に示されるクレセント錠の場合、サブロック施錠状態から無理やりレバーを回動させ解錠させると、回転子６２がサブロック用ストッパー片６３を押し下げると同時に、外方に押し出すように力が加わり、サブロック用ストッパー片６３が破損したり、取り付けベース６０から脱落し、解錠されてしまうことがあった。
【０００７】
そこで本発明の主たる課題は、サブロック用回転子を有するサブロック機構付クレセント錠において、前記サブロック用回転子からサブロック用ストッパー片が大きな力を受けても、サブロック用ストッパー片の破損や脱落を防止したサブロック機構付クレセント錠を提供することにある。
【課題を解決するための手段】
【０００８】
前記課題を解決するために請求項１に係る本発明として、室内障子の縦框に固定される取付けベースと、この取付けベースに対してクレセント軸を介して回動自在に取り付けられたクレセントと、前記クレセント軸に一体的に固設された操作レバーと、前記取付けベース内において前記クレセント軸に一体的に固設され、周囲に衝合凸部を備えたサブロック用回転子と、前記取付けベースの側壁に上下方向にスライド可能に設けられ、施錠状態において、一端側にスライドさせることにより前記操作レバーが解錠操作されても前記サブロック用回転子の衝合凸部が衝合することにより解錠を阻止するサブロック用ストッパー片とを備えたサブロック機構付クレセント錠において、
前記サブロック用ストッパー片は、前記取付けベースの外側に位置し、直接的に手動操作される操作部と、前記取付けベースの内側に位置し、前記サブロック用回転子が衝合する衝合部とから構成され、前記衝合部に対して段状の引っ掛け部が形成され、前記取付けベースには、前記サブロック用ストッパー片が取り付けられる側壁の内側に、段状の受け部が形成され、
前記段状の引っ掛け部は略逆レ字状を成すように鋭角的に形成され、前記段状の受け部は前記段状の引っ掛け部に整合する略レ字状を成すように鋭角的に形成され、サブロック施錠時に、前記サブロック用ストッパー片に形成した段状の引っ掛け部と前記取付けベースに形成した段状の受け部とが鋭角的に噛み合うように掛止し、サブロック施錠状態から無理に解錠しようとした際、前記サブロック用回転子の衝合凸部がサブロック用ストッパー片に衝突し、サブロック用回転子がサブロック用ストッパー片を押し下げると同時に、外方に押し出すように力を作用させたとしても前記サブロック用ストッパー片の移動を阻止するようにしたことを特徴とするサブロック機構付クレセント錠が提供される。
【０００９】
上記請求項１記載の発明においては、サブロック用ストッパー片に段状の引っ掛け部を形成し、サブロック施錠時に、前記サブロック用ストッパー片に形成した段状の引っ掛け部と前記取付けベースに形成した段状の受け部とが鋭角的に噛み合うように掛止させるようにしたものである。
【００１０】
従って、サブロック施錠状態から無理に解錠しようとした際、前記回転子の衝合凸部がサブロック用ストッパー片に衝突し、回転子がサブロック用ストッパー片を押し下げると同時に、外方に押し出すように力を作用させたとしても、サブロック用ストッパー片に形成した段状の引っ掛け部が前記取付けベースに形成した段状の受け部に対して掛止しているため、移動が阻止され、サブロック用ストッパー片が破損したり、取付けベースから脱落することもなくなる。
【００１１】
本発明では、前記引っ掛け部を前記サブロック用回転子の衝合突部が衝突する衝合部に形成することにより、効果的にサブロック用ストッパー片の破損や脱落を防止することができる。
【００１２】
また、前記引っ掛け部と前記受け部とが鋭角的に噛み合うようにしたことにより、大きな力が加わっても掛止状態を維持することが可能となる。
【発明の効果】
【００１３】
以上詳説のとおり本発明によれば、サブロック用回転子を有するサブロック機構付クレセント錠において、前記サブロック用回転子からサブロック用ストッパー片が大きな力を受けても、サブロック用ストッパー片の破損や脱落を防止することが可能となる。
【図面の簡単な説明】
【００１４】
【図１】本発明に係るサブロック機構付クレセント錠１Ａを示す、(A)は正面図、(B)は裏面図、(C)は底面図である。
【図２】(A)はサブロックの解錠状態、(B)はサブロックの施錠状態を示すクレセント錠１の裏面図である。
【図３】サブロック用ストッパー片７の斜視図である。
【図４】取付けベース２の裏面斜視図である。
【図５】参考的形態例に係るサブロック機構付クレセント錠１Ｂを示す、(A)は側面図、(B)は裏面図である。
【図６】(A)はサブロックの解錠状態、(B)はサブロックの施錠状態を示すクレセント錠１Ｂの裏面図である。
【図７】サブロック用ストッパー片９を示す、(A)は正面図、(B)は裏面からの斜視図である。
【図８】従来のサブロック機構付クレセント錠５０を示す、(A)は裏面図、(B)は右側面図である。
【図９】従来のサブロック機構付クレセント錠６０の裏面図である。
【発明を実施するための形態】
【００１５】
以下、本発明の実施の形態について図面を参照しながら詳述する。
【００１６】
〔第１形態例〕
前記クレセント錠１Ａは、図１に示されるように、室内障子の縦框に固定される裏面が開口した函体状の取付けベース２と、この取付けベース２に対してクレセント軸３を介して回動自在に取り付けられたクレセント４と、前記クレセント軸３に一体的に固設された操作レバー５と、前記取付けベース２内において前記クレセント軸３に一体的に固設され、周囲に衝合凸部６ａを備えたサブロック用回転子６と、前記取付けベース２の側壁に上下方向にスライド可能に設けられ、施錠状態において一端側にスライドさせることにより前記操作レバー５が解錠操作されても前記サブロック用回転子６の衝合凸部６ａが衝合することにより解錠を阻止するサブロック用ストッパー片７（以下、単にストッパー片７という。）とを備えたクレセント錠であり、室外障子の召合せ框には前記クレセント４を係脱させるためのクレセント受け金具（図示せず）が設けられる。
【００１７】
前記クレセント錠１Ａは、前記操作レバー５を摘み、クレセント４をほぼ１８０度範囲で回動させることにより、クレセント４の周囲に形成された、壁高を漸次テーパー状に変化させた環状周壁４ａが前記クレセント受け金具に対して係脱し、窓の施錠または解錠が成されるようになっている。なお、スプリング８は取付けベース２の一端と、サブロック用回転子６とを連結しているバネ部材であり、クレセント４の回動時に操作レバー５が水平の状態から施錠位置および解錠位置に対して付勢させるためのものである。
【００１８】
前記ストッパー片７は、直接的に上下方向に手動操作される部材であり、図２(A)に示されるように、クレセント錠１の施錠状態（操作レバー５が上側に位置）で、スライド範囲内で上側に位置した状態では、前記操作レバー５が解錠操作された場合、前記サブロック用回転子６の衝合凸部６ａはストッパー片７に衝合することなく、自由に解錠操作が可能となっている。
【００１９】
また、図２(B)に示されるように、クレセント錠１の施錠状態で、ストッパー片７をスライド範囲内で下側にスライドさせた場合は、前記操作レバー５が解錠操作されても前記サブロック用回転子６の衝合凸部６ａが衝合することにより解錠（回動操作）を阻止するようになっている。
【００２０】
前記ストッパー片７は、詳細には図３に示されるように、前記取付けベース２の外側に位置し、直接的に手動操作される操作部７Ａと、前記取付けベース２の内側に位置し、前記サブロック用回転子６が衝合する衝合部７Ｂとから構成されている。本発明では、前記衝合部７Ｂに対して、段状の引っ掛け部７ｂが形成されている。
【００２１】
一方、前記取付けベース２には、図４に示されるように、前記ストッパー片７が取り付けられる側壁の内側に、段状の受け部２ａが形成され、図２(B)に示されるように、サブロック施錠時に、前記サブロック用ストッパー片７の引っ掛け部７ｂが前記取付けベース２に形成した段状の受け部２ａに対して掛止するようになっている。ここで、前記引っ掛け部７ｂは、前記サブロック用回転子６の衝合突部６ａが衝突する近傍部位に形成されることが望ましく、かつ前記引っ掛け部７ｂと前記受け部２ａとは図示例のように、鋭角的（図３においてθ＜９０°）に噛み合うようにするのが望ましいが、直角（θ＝９０°）であってもよい。仮に、前記引っ掛け部７ｂと前記受け部２ａとが鈍角的（θ＞９０°）に噛み合う場合は、前記引っ掛け部７ｂが前記受け部２ａを乗り越えることがあるため好ましくないが、従来のストッパー片との対比では十分に効果を有する。
【００２２】
〔参考的形態例〕
図５〜図７は参考的形態例に係るサブロック機構付クレセント錠１Ｂを示したものである。本クレセント錠１Ｂは、鍵１０を前記取り付けベース２に形成された鍵穴に挿入し、回転操作することによって、前記ストッパー片９が上下方向に移動操作されるスライド部材とされるものである。
【００２３】
前記ストッパー片９は、詳細には図７に示されるように、棒状の部材とされ、上部及び下部にスライドガイド棒９ａ、９ｂを備え、下部側にスライド操作のための楕円孔９ｃを有し、上部側に前記サブロック用回転子６の衝合突部６ａが衝突する衝合部９ｄを有する。この衝合部９ｄには、上記第１形態例と同様に、段状の引っ掛け部９ｅが形成されている。
【００２４】
前記取付けベース２には、図５に示されるように、偏心突部１１ａを備えるとともに、鍵９によって回転操作される回動子１１を備え、前記偏心突部１１ａが前記ストッパー片９の楕円孔９ｃに係合するように、該ストッパー片９が取付けベース２内に設置され、前記回動子１１を回動操作することによりストッパー片９が上下方向にスライド操作されるようになっている。
【００２５】
図６(A)に示されるように、クレセント錠１の施錠状態（操作レバー５が上側に位置）で、前記ストッパー片９がスライド範囲内で上側に位置した状態では、前記操作レバー５が解錠操作された場合、前記サブロック用回転子６の衝合凸部６ａはストッパー片７に衝合することなく、自由に解錠操作が可能となっている。
【００２６】
また、図６(B)に示されるように、クレセント錠１の施錠状態で、前記ストッパー片９が下側に移動されている場合は、前記操作レバー５が解錠操作されても前記サブロック用回転子６の衝合凸部６ａが衝合することにより解錠（回動操作）を阻止するようになっている。
【００２７】
前記取付けベース２には、上記第１形態例と同様に、前記ストッパー片９が取り付けられる側壁の内側に、段状の受け部２ａが形成されており、図６(B)に示されるように、サブロック施錠時に、前記サブロック用ストッパー片９の引っ掛け部９ｅが前記取付けベース２に形成した段状の受け部２ａに対して掛止するようになっている。
【符号の説明】
【００２８】
１Ａ・１Ｂ…サブロック機構付クレセント錠、２…取付けベース、３…クレセント軸、４…クレセント、５…操作レバー、６…サブロック用回転子、７・９…ストッパー片、８…スプリング、７ｂ・９ｅ…引っ掛け部、２ａ…受け部、１１…回動子
【図１】
0005694709.tif 000002
【図２】
0005694709.tif 000003
【図３】
0005694709.tif 000004
【図４】
0005694709.tif 000005
【図５】
0005694709.tif 000006
【図６】
0005694709.tif 000007
【図７】
0005694709.tif 000008
【図８】
0005694709.tif 000009
【図９】
0005694709.tif 000010